(57)【要約】【課題】放熱性が良好で、かつ、放熱体との絶縁距離を確保できる照明器具を提供する。【解決手段】ＬＥＤモジュール基板16は、基板本体20と、基板本体20の一主面に実装されたＬＥＤ素子15と、基板本体20の一主面の縁部に実装されＬＥＤ素子15と電気的に接続された接点23とを有する。放熱シート17は、基板本体20の他主面に熱的に接続されて他主面を覆って配置されている。カバー部18は、接点23と放熱シート17とを露出させた状態でＬＥＤモジュール基板16を覆う。ソケット13は、ランプ12が装着されるとともに、ランプ12の装着により接点23と電気的に接続される端子55を備える。器具本体14は、接触面98および凹部99を有する放熱体82を備える。接触面98は、ソケット13に装着されたランプ12の放熱シート17が当接して熱的に接続される。凹部99は、ソケット13の端子55に対向する位置に設けられ放熱シート17との間に介在される。【選択図】図１
2014041794.tif 000002
【特許請求の範囲】
【請求項１】
基板本体と、この基板本体の一主面に実装された光源と、この基板本体の一主面の縁部に実装され前記光源と電気的に接続された接点とを有するモジュール基板、前記基板本体の他主面に熱的に接続されてこの他主面を覆って配置された絶縁性の放熱シート、および、前記接点と前記放熱シートとを露出させた状態で前記モジュール基板を覆うカバー部を備えたランプと；
このランプが装着されるとともに、このランプの装着により前記接点と電気的に接続される端子を備えたソケットと；
このソケットに装着された前記ランプの放熱シートが当接して熱的に接続される接続部、および、前記ソケットの端子に対向する位置に設けられ前記放熱シートとの間に介在される絶縁部を有する導電性の放熱体を備えた器具本体と；
を具備していることを特徴とする照明器具。
【請求項２】
前記絶縁部は、前記放熱体に形成された凹部である
ことを特徴とする請求項１記載の照明器具。
【請求項３】
前記ランプのカバー部に設けられた複数のランプ側係止部と；
前記ランプの装着方向に対して交差する方向に付勢されて前記ソケットに設けられ、前記ランプの装着方向への押し込みにより前記ランプ側係止部との当接によって付勢に抗して退避した後、付勢によって復帰して進出することで前記ランプ側係止部にて前記ランプを係止する複数のソケット側係止部と；
を具備していることを特徴とする請求項１または２記載の照明器具。
【請求項４】
前記ランプのカバー部と前記ソケットとのいずれか一方に突設された複数の被支持部と；
前記ランプのカバー部と前記ソケットとの他方に設けられ、前記ランプの装着方向への押し込みにより前記被支持部との当接によって弾性変形した後、復帰変形することで前記被支持部を保持する複数の弾性支持部と；
を具備していることを特徴とする請求項１または２記載の照明器具。
【請求項５】
前記各被支持部は、前記ランプのカバー部に設けられ、
前記各弾性支持部は、前記ソケットに設けられ、
前記ランプは、前記端子と反対側に位置する一の前記被支持部を前記ソケットの前記弾性支持部に支持した状態で、前記端子側を前記ソケット側へと回動させて押し込むことで前記ソケットに装着可能である
ことを特徴とする請求項４記載の照明器具。
【請求項６】
前記ランプのカバー部に突設された複数の被支持部と；
前記ソケットに可動的に設けられ、前記ランプの装着方向への押し込みにより前記被支持部との当接によって前記ランプ側へと移動することで前記被支持部を保持した状態で前記ソケットに係止される係止部材と；
を具備していることを特徴とする請求項１または２記載の照明器具。
【発明の詳細な説明】
【技術分野】
【０００１】
本発明の実施形態は、ランプが当接して熱的に接続される接続部を有する放熱体を器具本体に備えた照明器具に関する。
【背景技術】
【０００２】
従来、例えば天井等の設置面に埋め込んで配置されるダウンライトなどの照明器具に用いられるフラット形のランプとして、例えばＧＸ５３形の口金を用いたランプがある。このランプは、光源としての半導体発光素子であるＬＥＤ素子を有する発光モジュール基板と、この発光モジュール基板を収容するとともに発光モジュール基板に対向する下部に透光性を有する筐体と、この筐体の上側に設けられた一対のランプピンを備えるＧＸ５３形の口金と、この口金に配置された放熱シートとを有している。そして、このランプでは、照明器具の器具本体に取り付けたソケットに口金を押し当てた後、所定角度回転させることによりランプをソケットに装着するように構成されている。この装着状態で、口金が電源側と電気的に接続されるとともに、放熱シートが器具本体の放熱体に当接されて熱的に接続されることで、ＬＥＤ素子で発生する熱を放熱可能としている。
【先行技術文献】
【特許文献】
【０００３】
【特許文献１】特開２０１２−１０９１５７号公報
【発明の概要】
【発明が解決しようとする課題】
【０００４】
しかしながら、上述のランプでは、ランプをソケットに対して回転させて接続する構造であるため、ランプをソケットに対して円滑に回転させることができるように、放熱シートの放熱体との当接面に滑性を持たせるために、例えば放熱シートよりも硬質の別体の金属箔などによって覆っていた。そのため、発光モジュール基板からの放熱に対し熱抵抗が増加し、口金とソケットとの接続構造にコストと熱的ロスとを伴う。
【０００５】
また、仮に発光モジュール基板に放熱シートを直接的に配置できたとしても、この放熱シートを放熱体に当接させた場合、発光モジュール基板と放熱体との絶縁距離が放熱シートの厚み程度となってしまい、この絶縁距離を充分に確保することが容易でない。
【０００６】
本発明が解決しようとする課題は、放熱性が良好で、かつ、放熱体との絶縁距離を確保できる照明器具を提供することである。
【課題を解決するための手段】
【０００７】
実施形態の照明器具は、ランプと、ソケットと、器具本体とを備える。ランプは、モジュール基板と、絶縁性の放熱シートと、カバー部とを備える。モジュール基板は、基板本体と、この基板本体の一主面に実装された光源と、この基板本体の一主面の縁部に実装され光源と電気的に接続された接点とを有する。放熱シートは、基板本体の他主面に熱的に接続されてこの他主面を覆って配置されている。カバー部は、接点と放熱シートとを露出させた状態でモジュール基板を覆う。ソケットは、ランプが装着されるとともに、このランプの装着により接点と電気的に接続される端子を備える。器具本体は、接続部および絶縁部を有する放熱体を備える。接続部は、ソケットに装着されたランプの放熱シートが当接して熱的に接続される。絶縁部は、ソケットの端子に対向する位置に設けられ放熱シートとの間に介在される。
【発明の効果】
【０００８】
本発明によれば、モジュール基板の基板本体の他主面を覆う放熱シートを放熱体に当接させて熱的に接続することで、良好な放熱性を得ることができるとともに、ソケットの端子と放熱体との間に絶縁部を介在させて、放熱体との絶縁距離を確保できる。
【図面の簡単な説明】
【０００９】
【図１】第１の実施形態の照明器具の一部を示す断面図である。
【図２】同上照明器具のランプの装着直前の状態の一部を示す断面図である。
【図３】同上ランプの接点近傍を示す斜視図である。
【図４】同上ソケットの端子近傍を示す斜視図である。
【図５】同上ランプの平面図である。
【図６】同上ソケットの平面図である。
【図７】同上ソケットの一部を示す斜視図である。
【図８】同上ソケットにランプを装着した状態を示す平面図である。
【図９】同上照明器具を下方から示す斜視図である。
【図１０】第２の実施形態の照明器具の一部を示す断面図である。
【図１１】同上照明器具のランプの装着直前の状態の一部を示す断面図である。
【図１２】同上ランプの平面図である。
【図１３】同上ソケットの平面図である。
【図１４】同上ソケットの一部を示す側面図である。
【図１５】同上ソケットにランプを装着した状態を示す平面図である。
【図１６】第３の実施形態の照明器具の一部を示す断面図である。
【図１７】同上照明器具のランプの装着直前の状態の一部を示す断面図である。
【図１８】第４の実施形態の照明器具の一部を示す断面図である。
【図１９】第５の実施形態の照明器具の一部を示す断面図である。
【図２０】同上照明器具のランプの装着直前の状態の一部を示す断面図である。
【図２１】同上ソケットの平面図である。
【図２２】同上ソケットにランプを装着した状態を示す平面図である。
【発明を実施するための形態】
【００１０】
以下、第１の実施形態の構成を図１ないし図９を参照して説明する。
【００１１】
図９に示すように、照明器具11は、ダウンライトなどの埋込形照明器具であり、天井板などの被設置部に設けられた円形の埋込孔に埋め込まれた状態に設置されている。
【００１２】
そして、図１ないし図９に示すように、照明器具11には、フラット形のランプ12が用いられ、このランプ12がソケット13を介して器具本体14に係止されて構成される。このランプ12は、光源としての半導体発光素子(固体発光素子)であるＬＥＤ素子15を一主面である下面に実装したモジュール基板としてのＬＥＤモジュール基板16と、このＬＥＤモジュール基板16の反発光側である他主面側、すなわち上面側に取り付けられた絶縁性の放熱シート17と、ＬＥＤモジュール基板16の一主面側を覆う筐体であるカバー部18とを備えている。
【００１３】
ＬＥＤモジュール基板16は、例えば円形状に形成された基板本体20上にＬＥＤ素子15がマトリクス状に並べて実装されたＣＯＢ(Chip On Board)方式の発光モジュール基板である。さらに、各ＬＥＤ素子15には、発光を拡散させるためのコリメータレンズである制光体21が取り付けられている。また、この基板本体20の縁部には、径方向に突出する四角形状の突出部22が突設されており、この突出部22には、ＬＥＤ素子15と電気的に接続された複数の接点23を有する接点部24が配置されている。また、このＬＥＤモジュール基板16は、ねじ25によってカバー部18に固定されている。
【００１４】
突出部22には、基板本体20の径方向に対して交差(直交)する方向に沿って接点23が互いに離間されて配置されている。
【００１５】
各接点23は、導電性を有する細長い金属片が折り曲げられて形成されており、下端部である先端部23aがループ状に折り返されている。この先端部23aは、突出部22から側方、すなわちカバー部18の外方へと突出しており、ランプ12のソケット13に対する装着方向である上下方向(鉛直方向)に対して交差(直交)する水平方向に弾性的に変形してばね圧力を加えるようになっている(図３)。
【００１６】
また、接点部24は、絶縁性の材料によって形成され、突出部22にて各接点23の周囲をそれぞれ区画してこれら接点23を互いに絶縁するように形成されている。
【００１７】
また、放熱シート17は、例えば軟質で、かつ、熱伝導性に優れるシリコーンシートなどが用いられる。そして、この放熱シート17は、ＬＥＤモジュール基板16の上面に対して直接的に取り付けられ、このＬＥＤモジュール基板16の基板本体20(ＬＥＤ素子15)と熱的に接続されている。
【００１８】
また、カバー部18は、有底円筒状に形成されており、上側に放熱シート17が露出しているとともに、ＬＥＤ素子15と対向する底部に円形状の出射開口26が開口され、この出射開口26が、制光体21によって閉塞されている。また、このカバー部18の外周部には、接点部24(接点23)を外部に露出させる開口部28が切り欠き形成されている。さらに、このカバー部18の外周部には、複数、例えば３つの係合部としての係合凹部29が周方向に等間隔(等角度)に離間されて形成されている。
【００１９】
各係合凹部29には、ランプ12をソケット13(器具本体14)に係止するためのランプ側係止部としての係止突部31が径方向に沿って外方に向けて突設されている。また、各係合凹部29は、カバー部18の底部の出射開口26の外方に開口された開口32とそれぞれ連通している。これら開口32は、閉塞部材33によって開閉可能に閉塞されている。
【００２０】
各係止突部31は、カバー部18の外郭に対して先端側が突出しないように各係合凹部29内に位置している。また、各係止突部31の上側は、ランプ側ガイド面としての上側傾斜面35となっているとともに、この係止突部31の下側は、ランプ側係止面としての下側傾斜面36となっている。
【００２１】
上側傾斜面35は、係合凹部29の上端に位置しており、下側へと径方向外側に向けて傾斜している。
【００２２】
また、下側傾斜面36は、上側傾斜面35の下端に連続し、下側へと径方向内側、すなわちカバー部18の中心側に向けて傾斜している。
【００２３】
一方、ソケット13は、例えば絶縁性を有する合成樹脂製で環状に形成されたソケット本体41と、このソケット本体41内に配置されランプ12をソケット13に係止するためのソケット側係止部としてのラッチである複数、例えば３つの係止ロックユニット42とを備えている。
【００２４】
ソケット本体41には、環状部45が形成され、この環状部45の外周から上方へ突出する外縁部46が形成されているとともに、この環状部45の内周から下方へと突出する内筒47が形成されている。
【００２５】
環状部45には、係止ロックユニット42がそれぞれ内部に嵌着されて収容される収容部51が径方向に沿って、かつ、周方向に略等間隔(等角度)に離間されて形成されている。また、この環状部45には、各収容部51の近傍に、ソケット13と器具本体14とを固定するための複数のねじ52が螺着する複数のボス状のねじ螺着部53が形成されている。
【００２６】
さらに、内筒47には、ソケット13に取り付けられたランプ12の接点部24の接点23の先端部23aが圧接されて電気的に接続される端子55が配置された端子部56が径方向に突出して周方向に沿って形成されている。
【００２７】
各端子55は、上下方向に沿って長手状にそれぞれ配置されており、これら端子55と電気的に接続された出力線Ｌを介して図示しない外部電源(点灯回路)と電気的に接続されている(図４)。そして、これら端子55は、ランプ12の接点23と電気的に接続されることにより、ＬＥＤ素子15を点灯させるための電力(直流電力)を供給するように構成されている。
【００２８】
また、端子部56は、絶縁性の材料によって形成され、各端子55の周囲をそれぞれ区画してこれら端子55を互いに絶縁するように形成されている。
【００２９】
また、各係止ロックユニット42は、収容部51内に嵌着固定される係止部本体としての円筒状の円筒ガイド部61と、この円筒ガイド部61の内部に収容された付勢部材としてのコイルばね62と、このコイルばね62により付勢される係止体としての係止爪63とを備えている。
【００３０】
円筒ガイド部61は、ソケット13(ソケット本体41)の径方向に沿って軸方向を有するように収容部51に収容されており、一端側が外縁部46の内面に当接し、他端側が内筒47の内部に臨んで対向している。また、この円筒ガイド部61の他端側の内部には、複数のガイド突部65が周方向に離間されて形成されており、隣り合うガイド突部65，65間に軸方向に対して平行な一方のガイド部としての溝部66が区画されている。したがって、これら溝部66によって、係止爪63が円筒ガイド部61に対して周方向に回り止めされて円筒ガイド部61と係止爪63とが周方向に位置決めされるとともに、係止爪63が円筒ガイド部61の軸方向に沿って移動可能にガイドされるようになっている。さらに、この円筒ガイド部61の他端側には、係止爪63の突出位置を規制するための規制部としてのストッパ部67が中心軸に向けて突設されている(図７)。
【００３１】
また、コイルばね62は、円筒ガイド部61の一端側にてソケット本体41の外縁部46の内面に一端側が当接されて支持され、他端側が係止爪63に当接されている。
【００３２】
また、係止爪63は、係止体本体としての爪本体71と、この爪本体71の外部に取り付けられた被支持部としてのばね受け部72とを備えている。
【００３３】
爪本体71は、長尺の略円筒状に形成されており、一端側である基端側が円筒ガイド部61の他端側の内部に位置しているとともに、他端側である先端側が、円筒ガイド部61の他端側からソケット本体41の内筒47の内部へと突出して、この円筒ガイド部61の軸方向に沿って移動可能となっている。また、この爪本体71の周囲には、各溝部66に挿入される他方のガイド部としてのガイドリブ74が軸方向に沿って突設されている。さらに、この爪本体71の先端部の上側には、ソケット側係止面としての上側爪傾斜面75が形成されており、爪本体71の先端部の下側には、ソケット側ガイド面としての下側爪傾斜面76が形成されている。
【００３４】
上側爪傾斜面75は、下側へとソケット13の径方向内側、すなわちカバー部18の中心側に向けて傾斜している。
【００３５】
また、下側爪傾斜面76は、上側爪傾斜面75の下端に連続し、下側へとソケット13の径方向外側に向けて傾斜している。
【００３６】
また、ばね受け部72は、コイルばね62の他端側が当接することで、このコイルばね62の付勢を受けるようになっている。
【００３７】
そして、器具本体14は、反射体81と、この反射体81の上部に配置された放熱体82と、この放熱体82の周面に取り付けられた複数の取付ばね83と、放熱体82の上部に取り付けられた取付板84と、この取付板84に取り付けられた複数の端子台85(一つのみ図示)とを備えている。
【００３８】
反射体81は、例えば金属製で、円筒状の本体部88、およびこの本体部88の下端から周囲に突出する環状のフランジ部89を有している。
【００３９】
本体部88の直径は埋込孔の直径より小さく、フランジ部89の直径は埋込孔の直径より大きく形成されている。本体部88は、上側から下側へと徐々に拡径している。この本体部88の外周面に、放熱体82の下面側から上面側への空気の対流を可能とする対流形成部91が形成されている。
【００４０】
また、放熱体82は、例えばアルミダイカストなどの金属、セラミックス、放熱性に優れた樹脂などの材料によって形成されている。この放熱体82は、円筒状の基部93、およびこの基部93の周囲から放射状に突出する複数の放熱フィン94を有している。
【００４１】
基部93の周辺部および放熱フィン94の下部には、器具本体14の上面が当接して取り付けられる取付部である平面状の取付面96が形成されている。基部93の中央部の下面には、この基部93の下面を閉塞するとともに取付面96より下方へ突出する円形の当接突出部97が形成され、この当接突出部97の下部に平面状の接続部としての接触面98が形成されている。基部93の内側には、図示しないリブが放射状に形成されている。また、接触面98には、ソケット13の端子55と対向する位置に、絶縁部としての凹部99が形成されている。
【００４２】
凹部99は、接触面98(取付面96)から上方へと垂直状に立ち上がる縦壁部99aと、この縦壁部99aの上端から接触面98(取付面96)に対して平行すなわち水平状に延びる横壁部99bとを有している。したがって、この凹部99は、縦壁部99aにより設定された所定距離、放熱シート17およびＬＥＤモジュール基板16の突出部22(基板本体20)の上面から離間されている。
【００４３】
また、複数の放熱フィン94の間には、放熱体82の外周、下面および上面に開口する隙間101が形成されている。
【００４４】
放熱体82の基部93の周囲には、複数の取付部103が形成されている。これら各取付部103の下部にはソケット13と器具本体14と放熱体82とを固定する各ねじ52が螺着する図示しない取付孔が形成されている。
【００４５】
また、取付ばね83は、金属製の板ばねで構成され、支持片105、およびこの支持片105の下端から折り曲げられた当接片106を有している。そして、この取付ばね83は、支持片105の上端が放熱体82の取付部103の外側面にねじ107で固定されていて、支持片105が器具本体14の本体部88の側面に沿って配置されている。当接片106は器具本体14の側方に突出され、当接片106の先端には略Ｌ字形の引掛部108が形成されている。
【００４６】
また、取付板84は、例えば金属製で、放熱体82の上面に接触した状態に図示しないねじで固定されている。取付板84には、放熱体82の側方に突出する端子台取付部109が形成され、この端子台取付部109の下面に各端子台85が取り付けられている。すなわち、取付板84により、放熱体82の側方に離反した位置に各端子台85を配置している。
【００４７】
また、端子台85は、一方が例えば電源用およびアース用、他方が例えば調光信号用であり、これら端子台85とソケット13とが図示しない電線で接続されている。電線は、ソケット13から器具本体14の図示しない配線孔、および放熱体82の放熱フィン94間の隙間101を通じて各端子台85に接続されている。
【００４８】
次に、照明器具11の組立について説明する。
【００４９】
放熱体82の当接突出部97の周囲に器具本体14を嵌め込み、器具本体14の本体部88内にソケット13を挿入し、ソケット13と放熱体82との間に器具本体14を挟み込んだ状態で、各ねじ52をソケット13のねじ螺着部53および器具本体14の図示しない取付孔を通じて放熱体82の図示しない取付孔に螺着し、ソケット13と放熱体82との間に器具本体14を挟み込んだ状態でこれらを一体に固定する。
【００５０】
ソケット13を器具本体14の本体部88内に挿入する際に、予め器具本体14の図示しない配線孔から外側に引き出しておいたソケット13からの電線を各端子台85に接続し、これら端子台85が取り付けられている取付板84を放熱体82の上部に複数のねじで固定する。
【００５１】
次いで、各取付ばね83を放熱体82の側面に各ねじ107で固定する。
【００５２】
そして、ソケット13の内筒47に、放熱体82の接触面98が露出して配置される。
【００５３】
次に、照明器具11の設置について説明する。
【００５４】
被設置部の埋込孔に予め導かれている電源線、アース線、調光信号線などを、その埋込孔から被設置部の下方に引き出し、照明器具11の各端子台85に接続する。
【００５５】
各取付ばね83の当接片106を器具本体14の側面に沿わせるように弾性変形させて保持した状態で、まず、取付板84の端子台取付部109および端子台85が上方へ向くように照明器具11を斜めにして、その取付板84の端子台取付部109および端子台85を埋込孔に斜めに挿入し、その後、照明器具11が水平になるように戻しながら、放熱体82、器具本体14の本体部88および各取付ばね83を埋込孔に挿入する。
【００５６】
各取付ばね83の引掛部108が埋込孔より上方に移動したら、各取付ばね83の保持を解除する。これにより、各取付ばね83の当接片106が弾性変形に対する反発力によって器具本体14の側方に展開し、当接片106が埋込孔の上縁部に当接して照明器具11を上方へ引き上げ、フランジ部89が被設置部の下面に当接し、設置完了となる。
【００５７】
また、照明器具11を被設置部から外す場合には、各取付ばね83による引き上げ力に抗して照明器具11を引き下げ、埋込孔の下方に移動した各取付ばね83の当接片106を器具本体14の側面に沿わせるように弾性変形させながら、器具本体14の本体部88および放熱体82を埋込孔の下方へ移動させ、さらに、設置時と同様に照明器具11を傾斜させ、取付板84の端子台取付部109および各端子台85を埋込孔の下方へ移動させる。
【００５８】
次に、照明器具11へのランプ12の装着について説明する。
【００５９】
ランプ12を器具本体14の本体部88の内側に挿入し、各係合凹部29をソケット13の各係止ロックユニット42と位置合わせした状態で装着方向である上方向へと押し上げ、ソケット13に差し込む。
【００６０】
このとき、ランプ12の各係合凹部29に位置する係止突部31の上側傾斜面35が各係止ロックユニット42の係止爪63の下側爪傾斜面76に当接し(図２)、さらにランプ12を押し上げると上側傾斜面35の傾斜に沿って係止爪63がコイルばね62の付勢に抗して円筒ガイド部61の内部に軸方向に沿って押し込まれて退避し、係止突部31が下側爪傾斜面76を上方へと乗り越えると、コイルばね62の付勢によって係止爪63が復帰して進出し、この係止爪63の上側爪傾斜面75が係止突部31の下側傾斜面36に当接嵌合して各係止ロックユニット42がランプ12を下側から支持する(図１)。
【００６１】
また、ランプ12の各接点23は、先端部23aが弾性変形しつつソケット13の各端子55に沿って摺接し、各接点23と各端子55との電気的接続が得られる。
【００６２】
このように、ランプ12はソケット13に対して押し込むだけで、ワンタッチで取り付けできる。
【００６３】
そして、ランプ12の装着状態では、ランプ12のＬＥＤモジュール基板16が放熱シート17を介して放熱体82の接触面98に密着し、ランプ12から放熱体82に効率よく熱伝導可能としている。
【００６４】
また、ランプ12を照明器具11から外す場合には、各閉塞部材33を取り外して各開口32を開き、適宜の治具(図示せず)を各開口32に挿入することで各係止ロックユニット42の係止爪63をコイルばね62の付勢に抗して退避させてランプ12の係止を解除した後、ランプ12を取り外す。
【００６５】
次に、ランプ12の点灯について説明する。
【００６６】
電源線から端子台85、ソケット13の端子55(出力線Ｌ)およびランプ12の接点23を通じて直流電力が各ＬＥＤ素子15に供給され、ＬＥＤ素子15が点灯する。これらＬＥＤ素子15の点灯によって放射される光が、制光体21を透過し、器具本体14の出射開口26から出射される。
【００６７】
また、点灯時に、ＬＥＤモジュール基板16のＬＥＤ素子15が発生する熱は、主に、ＬＥＤモジュール基板16の基板本体20から熱的に接合されている放熱シート17を介して密着する放熱体82に効率よく熱伝導され、この放熱体82の複数の放熱フィン94を含む表面から空気中に放熱される。
【００６８】
このとき、本体部88の外側に形成されている対流形成部91により、複数の放熱フィン94間の隙間101を通じて放熱体82の下面側から上面側へ通過する空気の対流を形成することができるため、放熱体82から効率よく放熱できる。
【００６９】
また、ランプ12から放熱体82に熱伝導された熱の一部は、器具本体14、複数の取付ばね83および取付板84にそれぞれ熱伝導され、これらからも空気中に放熱される。
【００７０】
このように、上記第１の実施形態では、ランプ12の装着方向である上下方向に対して交差する水平方向に付勢される係止ロックユニット42の係止爪63を設け、ランプ12の装着方向への押し込みによりランプ12の係止突部31との当接によって係止爪63がコイルばね62の付勢に抗して退避した後、係止突部31が係止爪63を乗り越えると、コイルばね62の付勢によって係止爪63が復帰して進出することで係止突部31にてランプ12を係止する。このため、ランプ12をソケット13に対して、装着方向に押し込むだけで容易に装着でき、例えばランプ12をソケット13に対して回転させて装着するなどの構成と比較して、簡単な構成でランプ12をソケット13に取り付けでき、照明器具11を安価に製造できる。
【００７１】
次に、第２の実施形態を図１０ないし図１５を参照して説明する。なお、上記第１の実施形態と同様の構成などについては、同一符号を付してその説明を省略する。
【００７２】
この第２の実施形態は、上記第１の実施形態の係合凹部29(係止突部31)に代えて、ランプ12に被支持部としての被支持突部111がそれぞれ突設され、係止ロックユニット42に代えて、ソケット13に弾性支持部としての支持受けばね112がそれぞれ配置されているものである。
【００７３】
各被支持突部111は、円柱状に形成されており、カバー部18の外周縁から径方向に沿って放射状に突出している。また、これら被支持突部111は、カバー部18の周方向に略等間隔(略等角度)に離間されている。
【００７４】
また、各支持受けばね112は、ソケット本体41の環状部45にそれぞれ形成された取付部114に取り付けられている。この取付部114は、内筒47の下端部に切り欠き形成された切欠開口115により内筒47の内側と連通している。各支持受けばね112は、弾性を有する金属板などがコ字状に折り曲げられて形成されており、両側一対の受け片112a，112aと、これら受け片112a，112aの上端部を連結する連結部112bとを一体に備えている。そして、受け片112a，112a間の下端部が、下方に向けて徐々に互いに離間されるように拡開されており、被支持突部111を受ける受け部112cを形成しているとともに、受け片112a，112a間の受け部112cの上部が、被支持突部111よりも幅狭に離間されるように湾曲された支持部112dとなっている。さらに、連結部112bには、各支持受けばね112をソケット本体41に固定するための固定片112eが延出して折り返されている。
【００７５】
そして、ランプ12をソケット13に装着する際には、ランプ12を器具本体14の本体部88の内側に挿入し、各被支持突部111を各支持受けばね112と位置合わせした状態で装着方向である上方向へと押し上げると、各被支持突部111が各支持受けばね112の受け部112cと当接し(図１１)、さらにランプ12を押し上げると各被支持突部111が支持部112dを押し開いて弾性変形させるとともに、各被支持突部111が支持部112dを乗り越えると、支持受けばね112の受け片112a，112aが復帰変形することで、受け片112a，112a、支持部112dおよび連結部112bの間に被支持突部111を保持してランプ12を下側から支持する(図１０)。
【００７６】
このように、第２の実施形態では、ランプ12のカバー部18に複数の被支持突部111を突設するとともに、ソケット13に複数の支持受けばね112を設け、ランプ12の装着方向への押し込みにより各被支持突部111との当接によって弾性変形した後、これら被支持突部111が支持部112dを乗り越えると復帰変形することで各被支持突部111を各支持受けばね112によって保持する。このため、ランプ12をソケット13に対して、装着方向に押し込むだけで容易に装着でき、例えばランプ12をソケット13に対して回転させて装着するなどの構成と比較して、簡単な構成でランプ12をソケット13に取り付けでき、照明器具11を安価に製造できる。
【００７７】
また、各支持受けばね112は、ソケット13の径方向に移動や変形をしないため、これら支持受けばね112の移動や変形のためのスペースをとる必要がなく、ランプ12をより大型化でき、大光量化が期待できる。
【００７８】
なお、上記第２の実施形態において、図１６および図１７に示す第３の実施形態のように、ソケット13の内筒47の内径を大きくし、ランプ12の接点23(接点部24)と反対側に位置する１つの被支持突部111を、対応する支持受けばね112に支持した後(図１７)、この被支持突部111(支持受けばね112)を中心としてランプ12の接点23(接点部24)側を上方へと回動させるように押し込むことでランプ12をソケット13に装着してもよい(図１６)。
【００７９】
また、上記第２の実施形態において、図１８に示す第４の実施形態のように、ランプ12のカバー部18に支持受けばね112を配置するとともに、ソケット13に被支持突部111を配置する構成としてもよい。すなわち、ランプ12のカバー部18には、各支持受けばね112を取り付ける弾性支持部取付部としてのばね取付部117が外周縁および底部に亘ってそれぞれ切り欠き形成されている。換言すれば、ばね取付部117は、ランプ12のカバー部18の下方および外方に亘って開口している。また、ソケット13の内筒47には、径方向に沿って放射状に各被支持突部111がそれぞれ中心側に向けて突設されている。そして、上記第２の実施形態と同様に、ランプ12を器具本体14の本体部88の内側に挿入し、各支持受けばね112(各ばね取付部117)を各被支持突部111と位置合わせした状態で装着方向である上方向へと押し上げ、ソケット13に差し込むことで、ランプ12がソケット13に装着される。
【００８０】
次に、第５の実施形態を図１９ないし図２２を参照して説明する。なお、上記各実施形態と同様の構成などについては、同一符号を付してその説明を省略する。
【００８１】
この第５の実施形態は、上記第２の実施形態の各支持受けばね112に代えて、ソケット13に係止部材としての係止ブロック121が可動的にそれぞれ配置されているものである。
【００８２】
各係止ブロック121は、例えば直方体状に形成されており、ソケット13の環状部45にそれぞれ設けられた係止部材取付部としてのブロック取付部122に取り付けられている。また、各係止ブロック121の両側には、これら係止ブロック121がソケット13に対して移動する際のガイドとなる(一方の)係止部材ガイド部としての長溝状のガイド溝部121aが凹設されている。このガイド溝部121aは、各係止ブロック121の側面の略対角線方向に沿って傾斜している。さらに、このガイド溝部121aの内部の下端部近傍の両側には、保持突出部121b，121bが互いに対向して突設されている。これら保持突出部121b，121bは、ランプ12の被支持突部111をガイド溝部121aの下端部との間で保持するためのものであり、これら保持突出部121b，121bの位置でガイド溝部121aの幅寸法が小さくなっている。また、各係止ブロック121には、ランプ12に対向する内側の位置に開口して、ランプ12の被支持突部111を受ける受け部としての嵌合受け部121cが水平方向に沿って凹状に形成されているとともに、この嵌合受け部121cに連通する連通切欠部121dが内側の下端部から上下方向に沿って切り欠き形成されている。
【００８３】
また、各ブロック取付部122は、環状部45の厚さ方向である上下方向にリブ状に突設された対をなす壁部122a，122aと環状部45の下面との間に区画されている。したがって、各ブロック取付部122は、下方および外方に亘って開口している。また、各壁部122aには、係止ブロック121をガイドするための(他方の)係止部材ガイド部としての円柱状のガイド突出部122bおよび係止ブロック121を係止するための係止部材係止部としての円柱状の係止突出部122cが、それぞれブロック取付部122の内方に向けて突設されている。
【００８４】
ガイド突出部122bは、係止突出部122cに対して上方内側に位置している。すなわち、ガイド突出部122bと係止突出部122cとは、上下方向に対して傾斜した方向に配置されている。さらに、これらガイド突出部122bと係止突出部122cとは、係止ブロック121のガイド溝部121aにそれぞれ挿入されている。なお、ガイド突出部122bは、ガイド溝部121aの上端部近傍の両側に突設された抜け止め部121e，121eによってガイド溝部121aに対して抜け止めされている。
【００８５】
そして、ランプ12をソケット13に装着する際には、ランプ12を器具本体14の本体部88の内側に挿入し、各被支持突部111を各係止ブロック121の連通切欠部121dから挿入した状態(図２２)で装着方向である上方向へと押し上げると、各被支持突部111が嵌合受け部121cに当接することにより各係止ブロック121が一体的に押し上げられる。このとき、各係止ブロック121は、ガイド溝部121aにガイド突出部122bおよび係止突出部122cが挿入されているため、ソケット13の各ブロック取付部122にて内筒47側に徐々に接近するように上方内側へと傾斜状にガイドされて移動し、各係止ブロック121がランプ12の外周へと徐々に接近することで、ランプ12の各被支持突部111が各係止ブロック121の嵌合受け部121cへと徐々に挿入される。そして、係止突出部122cがガイド溝部121a内の保持突出部121b，121b間を乗り越えると、各係止突出部122cがこれら保持突出部121b，121bとガイド溝部121aの下端部との間で保持され、各係止ブロック121がソケット13に係止される(図２１)。この結果、ランプ12の各被支持突部111を各係止ブロック121の嵌合受け部121cに挿入された状態で保持して、ソケット13がランプ12を下側から支持する。
【００８６】
このように、第５の実施形態によれば、ランプ12のカバー部18に複数の被支持突部111を突設するとともに、ソケット13に複数の係止ブロック121を可動的に設け、ランプ12の装着方向への押し込みにより各被支持突部111との当接によって各係止ブロック121がランプ12側へと徐々に移動して各被支持突部111を保持した状態でソケット13に係止される。このため、ランプ12をソケット13に対して、装着方向に押し込むだけで容易に装着でき、例えばランプ12をソケット13に対して回転させて装着するなどの構成と比較して、簡単な構成でランプ12をソケット13に取り付けでき、照明器具11を安価に製造できる。
【００８７】
そして、以上説明した少なくとも一つの実施形態によれば、ＬＥＤモジュール基板16の基板本体20の他主面である上面を覆う放熱シート17を放熱体82に当接させて熱的に接続することで、良好な放熱性を得ることができるとともに、ソケット13の端子55と放熱体82との間に絶縁部である凹部99を介在させることで、放熱体82との絶縁距離を確保できる。
【００８８】
また、ランプ12は、ソケット13に対して装着方向へと押し込むだけで容易に装着できるため、放熱シート17を、ランプ12を回転させてソケット13に装着する構成のように、放熱体82に対して滑りやすい、硬質の構成などとする必要がなく、放熱性(熱伝導性)に優れたシリコーンシートなどの軟質の部材により構成して、直接的に放熱体82に当接させることができるので、熱抵抗の増加を抑制でき、ＬＥＤモジュール基板16(ＬＥＤ素子15)からの放熱を放熱シート17から熱的ロスを伴うことなく直接的に放熱体82へと伝達でき、良好な放熱性を得ることができる。
【００８９】
また、絶縁部として凹部99を放熱体82に設けることで、別途の絶縁性の部材などを用いることなく、絶縁性を容易に確保できる。
【００９０】
なお、上記各実施形態において、光源としては、ＬＥＤ素子15の他に、例えば有機ＥＬ素子などの半導体発光素子(固体発光素子)などの任意のものを用いることができる。
【００９１】
また、絶縁部としては、凹部99に限定されず、例えば絶縁性の部材を放熱体82の端子と対向する位置に介在させてもよいし、凹部99の内部に絶縁性の部材を嵌合させてもよい。
【００９２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９３】
11    照明器具
12    ランプ
13    ソケット
14    器具本体
15    光源としてのＬＥＤ素子
16    モジュール基板としてのＬＥＤモジュール基板
17    放熱シート
18    カバー部
20    基板本体
23    接点
31    ランプ側係止部としての係止突部
42    ソケット側係止部としての係止ロックユニット
55    端子
82    放熱体
98    接続部としての接触面
99    絶縁部としての凹部
111   被支持部としての被支持突部
112   弾性支持部としての支持受けばね
121   係止部材としての係止ブロック
【図１】
2014041794.tif 000003
【図２】
2014041794.tif 000004
【図３】
2014041794.tif 000005
【図４】
2014041794.tif 000006
【図５】
2014041794.tif 000007
【図６】
2014041794.tif 000008
【図７】
2014041794.tif 000009
【図８】
2014041794.tif 000010
【図９】
2014041794.tif 000011
【図１０】
2014041794.tif 000012
【図１１】
2014041794.tif 000013
【図１２】
2014041794.tif 000014
【図１３】
2014041794.tif 000015
【図１４】
2014041794.tif 000016
【図１５】
2014041794.tif 000017
【図１６】
2014041794.tif 000018
【図１７】
2014041794.tif 000019
【図１８】
2014041794.tif 000020
【図１９】
2014041794.tif 000021
【図２０】
2014041794.tif 000022
【図２１】
2014041794.tif 000023
【図２２】
2014041794.tif 000024